(57)【特許請求の範囲】
【請求項１】
貨物収納室の開口部を構成する上下のフレームに固着されたレールに沿って転動する車輪を備えた内側ヒンジと、開口部前方に移動可能な外側ヒンジと、両端に形成された内側連結部及び外側連結部を介して交互に内側ヒンジ及び外側ヒンジで連結された複数の縦長パネルとを備え、
内側ヒンジは、平面部の背面側中央から延びた起立部に中空部がつながっており、平面部の背面一部に一対の湾曲面が起立部を中心として対称的に設けられ、中空部の平面部側角部に円弧状内面をもつ受け部が形成されており、
外側ヒンジは、縦長パネルの背面板部より平面部に近い位置に円弧の中心が設定された円弧状ガイドが両端近傍の背面側から立上がり、該円弧状ガイドと対をなす嵌合受け部が円弧状ガイドの内側で背面側から立上がっており、
内側連結部は、平面部の背面側端部近傍から立上がった湾曲起立部につながった背面板部をもち、内側ヒンジの湾曲面に接触する湾曲部が背面板部の側方に形成され、内側ヒンジの受け部に嵌め込まれる摺動部が湾曲部の先端に形成され、外側連結部は、平面部の背面側端部近傍から立上がった起立部につながった屈曲部をもち、外側ヒンジの嵌合受け部に嵌め込まれる嵌合部が平面部の背面側端部に直交する屈曲部に形成され、外側ヒンジの円弧状ガイドに接触する摺動部が嵌合部の内面から突出しており、
縦長パネルを展開した状態では縦長パネルの平面部，内側ヒンジの平面部及び外側ヒンジの平面部が同一平面上にあり、縦長パネルを折り畳んだ状態では内側ヒンジを介して隣接する縦長パネルの平面部がほぼ面接触する荷役機器用横引きシャッタ。
【請求項２】
内側ヒンジの平面部は、縦長パネルを折り畳んだ状態で内側連結部の背面板部に当接する幅をもつ請求項１記載の荷役機器用横引きシャッタ。
【請求項３】
縦長パネルの平面部の端部から内側連結部の起立部よりも側方に、縦長パネルの展開状態で内側ヒンジの平面部端部に近接する突出部が延びている請求項１又は２記載の荷役機器用横引きシャッタ。
【請求項４】
縦長パネルの展開状態で外側連結部の摺動部が当接するストッパ部が外側ヒンジの円弧状ガイドの基部に設けられている請求項１記載の荷役機器用横引きシャッタ。
【請求項５】
外側ヒンジの平面部端部から円弧状ガイドよりも側方に、縦長パネルの展開状態にある縦長パネルの平面部端部に近接する突出部が延びている請求項１記載の荷役機器用横引きシャッタ。
【請求項６】
貨物収納室の開口部を構成する上下のフレームに上押えフレーム及び下押えフレームの一端を枢支し、上押えフレーム及び下押えフレームの他端にある押え部で展開状態にある縦長パネル，内側ヒンジ及び外側ヒンジの上部及び下部を押圧する請求項１〜５の何れかに記載の荷役機器用横引きシャッタ。
【請求項７】
貨物収納室の開口部を構成する側柱に操作杆を取り付け、リンク機構を介して該操作杆を上押えフレーム及び下押えフレームに連結した請求項６記載の荷役機器用横引きシャッタ。
【発明の詳細な説明】
【０００１】
【産業上の利用分野】
本発明は、トラック，鉄道車両，船舶等の貨物収納室に取り付けられ、広い開口部で貨物収納室が開放されるアコーデオン式の横引きシャッタに関する。
【０００２】
【従来の技術】
荷物運搬用のトラック，鉄道車両，船舶用コンテナ等では、貨物を積み込み又は配出するため、貨物収容室に開放可能な扉が取り付けられている。この種の扉として、たとえば車両側部に設けられるものでは、開放状態の扉が場所を取らないように引き戸式になっている。引き戸式の扉は、多数のコンテナが配置されているヤード等にあっては作業スペースを確保できるので、観音扉よりも有利である。
しかし、引き戸式の扉は、開放状態の扉を収納するために戸袋が必要となる。戸袋を備え付けると貨物収納室の開口部が戸袋の分だけ狭くなり、荷役作業に支障を来す。場合によっては、戸袋のために隘路となる部分が貨物収納室の内部に生じ、貨物収納室の有効スペースが狭くなる。
【０００３】
内部にデッドスペースが生じ易い戸袋を省略し、貨物収納室の開口部周辺での荷役作業を容易にするものとしては、アコーデオン式の横引きシャッタがある。たとえば、図１に示すように車両１に搭載した貨物収納室２の側面側に横引きシャッタ３が組み込まれる。レール４に沿って横引きシャッタ３を移動させると、図１に示すように貨物収納室２の開口部５が大きく開放される。なお、貨物収納室２の後側に観音扉６を併せ設け、集配場での荷役作業時に貨物収納室２の後側を開放するものも知られている。
【０００４】
アコーデオン式の横引きシャッタとしては、図２に示すように複数の縦長パネル１１，１１・・を走行連結枠１２及び脱出連結枠１３で交互に連結したものが特開平５−１４７４４０号公報で紹介されている。各縦長パネル１１は、両端部に設けられている受け孔に連結枠１２，１３のヒンジ部１４が嵌め込まれ、折畳み可能になっている。一側端の縦長パネル１１は貨物収納室２の縦枠に固着された固定フレーム１６に連結され、他側端の縦長パネル１１は走行フレーム１７に連結されている。
各縦長パネル１１を折り畳む方向に走行フレーム１７を移動させると、脱出連結枠１３がレール４から外れ、各縦長パネル１１が開口部５の一方向に集められ、開口部５が幅広く開放される。折り畳まれた各縦長パネル１１は、図１において車両１の側方にパネル１枚分の幅で突出するに止まり、荷役作業に大きな支障とならない。
【０００５】
【発明が解決しようとする課題】
しかし、図２に示すように走行連結枠１２及び脱出連結枠１３で複数の縦長パネル１１，１１・・を連結した横引きシャッタでは、縦長パネル１１，１１・・を折り畳んだ状態で隣り合う縦長パネル１１，１１・・の間に隙間１８が生じることが避けられない。隙間１８は、縦長パネル１１，１１・・の枚数が多くなるほど多数になる。多数の隙間１８が累積されると、縦長パネル１１，１１・・の折畳み長さを短くすることにも限界がある。この点、荷役作業を容易にするため開口部５がより十分に開放できる横引きシャッタが望まれる。
【０００６】
また、図２の形式では、縦長パネル１１，１１・・を一方向（図１では前方）に折り畳み、開口部５を後方側面から開放している。しかし、貨物収納室２に収容される貨物の積込み・積卸し順序によっては、開口部５を前方側面から開放した方が荷役作業が容易になることがある。
本発明は、このような要求に応えるべく案出されたものであり、複数の縦長パネルを連結するヒンジを改良することにより、縦長パネルを折り畳んだ状態では縦長パネルの合計厚みまで折畳み長さが短くなり、しかも開口部の何れの方向に関しても折り畳んだ縦長パネルを集約できる横引きシャッタを提供することを目的とする。
【０００７】
【課題を解決するための手段】
本発明の荷役機器用横引きシャッタは、貨物収納室の開口部を構成する上下のフレームに固着されたレールに沿って転動する車輪を備えた内側ヒンジと、開口部前方に移動可能な外側ヒンジと、両端に形成された内側連結部及び外側連結部を介して内側ヒンジ及び外側ヒンジで交互に連結された複数の縦長パネルとを備えている。
内側ヒンジは、平面部の背面側中央から延びた起立部に中空部がつながっており、平面部の背面一部に一対の湾曲面が起立部を中心として対称的に設けられ、中空部の平面部側角部に円弧状内面をもつ受け部が形成されている。内側ヒンジの平面部は、縦長パネルを折り畳んだ状態で内側連結部の背面板部に当接する幅をもつことが好ましい。
外側ヒンジは、縦長パネルの背面板部より平面部に近い位置に円弧の中心が設定された円弧状ガイドが両端近傍の背面側から立上がり、該円弧状ガイドと対をなす嵌合受け部が円弧状ガイドの内側で背面側から立上がっている。円弧状ガイドの基部にストッパ部を設けると、縦長パネルの開き過ぎが防止される。
【０００８】
内側ヒンジに嵌め合わされる縦長パネルの内側連結部は、平面部の背面側端部近傍から縦長パネルの内側に向かって立上がった湾曲起立部につながった背面板部をもち、内側ヒンジの湾曲面に接触する湾曲部が背面板部の側方に形成されている。湾曲部の先端には、内側ヒンジの受け部に嵌め込まれる摺動部が形成されている。また、縦長パネルの表面部の端部から内側連結部の起立部よりも側方に、縦長パネルの展開状態で内側ヒンジの平面部端部に近接する突出部が延びている。
外側ヒンジに嵌め合わされる縦長パネルの外側連結部は、平面部の背面側端部近傍から立上がった起立部につながった内向きの屈曲部をもち、外側ヒンジの嵌合受け部に嵌め込まれる嵌合部が平面部の背面側端部に直交する屈曲部に形成されている。嵌合部の内面には、外側ヒンジの円弧状ガイドに接触する摺動部が突出している。
【０００９】
縦長パネルを展開した状態では、縦長パネルの平面部，内側ヒンジの平面部及び外側ヒンジの平面部が同一平面上にあり、外側ヒンジの回転中心が縦長パネルの中心線よりも平面部側に位置する。縦長パネルを折り畳んだ状態では、内側パネルを介して隣接する縦長パネルの平面部がほぼ面接触することにより、短い折畳み長さで縦長パネルが集約される。
縦長パネルを展開して貨物収納室の開口部を閉じた後、開口部を構成する上下のフレームに枢支された上押えフレーム及び下押えフレームの押え部で縦長パネル，内側ヒンジ及び外側ヒンジの上部及び下部が押圧される。上押えフレーム及び下押えフレームは、貨物収納室の開口部を構成する側柱に取り付けた操作杆の動きをリンク機構を介して伝えることにより開閉される。
【００１０】
【実施の形態】
トラックの荷台に搭載される貨物収納室の開口部に取り付けた横引きシャッタを例にとって、本発明を具体的に説明する。
この横引きシャッタは、図３中に示すように複数の縦長パネル２０，２０・・を内側ヒンジ３０，３０・・及び外側ヒンジ４０，４０・・で交互に連結した構造をもっており、貨物収納室の開口部全幅Ｗにわたって展開される。展開状態の縦長パネル２０，２０・・の上部及び下部は、上押えフレーム５０及び下押えフレーム６０で押えられる。
縦長パネル２０，内側ヒンジ３０及び外側ヒンジ４０は、それぞれ図４に示す断面形状をもち、軽量性，強度，耐食性等に優れたアルミ押出し形材から作られている。アルミ押出し形材としては、アルマイト処理等の化成処理を施した６０００系のアルミニウム合金が使用される。
【００１１】
縦長パネル２０は、ほぼコ字状の断面をもち、両端に内側連結部２１及び外側連結部２２が形成されている。しかし、コ字状断面に限ったものではなく、強度的に優れた矩形状断面をもつ中空押出し形材の両側に内側連結部２１及び外側連結部２２を付けたものも縦長パネル２０として使用できる。平面部２３と起立部２１ａ，２２ａで区画された内部空間には、軽量断熱材を充填してもよい。
内側連結部２１は、平面部２３の背面側でパネル２０の内側に向かって立上がった湾曲起立部２１ａをもち、平面部２３と平行に延びた背面板部２１ｂの途中が起立部２１ａの先端につながっている。湾曲起立部２１ａは、開閉動作する縦長パネル２０が内側ヒンジ３０の平面部３１の端部に引っ掛かることなくスムーズに動くように、所定のアールを付けた曲面になっている。背面板部２１ｂの内方端部は強度確保のために厚肉になっており、外方部は起立部２１ａと平行で平面部２３側に向かう屈曲部２１ｃになっている。屈曲部２１ｃの平面部２３側は所定の曲率で曲がった湾曲部２１ｄに形成され、湾曲部２１ｄから更に背面板部２１ｂ側に向かう折返し部２１ｅが形成されている。
【００１２】
折返し部２１ｅの先端は、折返し部２１ｅの表面から若干後退した段差でほぼ半円状の摺動部２１ｆになっている。起立部２１ａが平面部２３から立上がる箇所は平面部２３の端部近傍に設定され、起立部２１ａと湾曲部２１ｄとの間の開口を狭くする突出部２１ｇが起立部２１ａよりも若干側方に突出している。
外側連結部２２は、縦長パネル２０の平面部２３の端部近傍で平面部２３に直交する起立部２２ａをもっている。起立部２２ａの先端は、内側に折り曲げられ先端が厚肉の屈曲部２２ｂになっている。平面部２３の端部は直角に折り曲げられて屈曲部２２ｃとなり、屈曲部２２ｃの先端に円弧状の嵌合部２２ｄが形成されている。嵌合部２２ｄの内面側から突出部２２ｅが中心方向に延び、突出部２２ｅの表面から若干後退した段差でほぼ半円状の摺動部２２ｆが突出部２２ｅの先端に形成されている。
【００１３】
隣接する縦長パネル２０，２０を連結する内側ヒンジ３０は、左右対称な断面形状をもち、展開状態にある縦長パネル２０の平面部２３と同一平面上に配置される平面部３１を備えている。平面部３１の背面側中央から起立部３２が立上がり、断面ほぼ矩形状の中空部３３が起立部３２の端部につながっている。平面部３１の表面から中空部３３の背面までの距離は、縦長パネル２０の平面部２３から背面板部２１ｂまでの距離に等しく設計されている。
平面部３１の背面側には、起立部３２を中心として一対の湾曲面３４が対称的に形成されている。湾曲面３４は、縦長パネル２０の湾曲部２１ｄと同じ曲率をもち、湾曲部２１ｄを包み込むように起立部３２及び側方に向けて厚くなっている。平面部３１側にある中空部３３の角部には、内面が円弧状の受け部３５が形成されている。受け部３５の基端側には中空部３３の辺より若干落ち込んだ段差部３６が形成されている。段差部３６は、縦長パネル２０の摺動部２１ｆが突き当たる箇所となる。段差部３６から平面部３１の背面までの距離は、摺動部２１ｆを含めた折返し部２１ｅの長さより若干短く設計されている。
【００１４】
外側ヒンジ４０は、左右対称な断面形状をもち、縦長パネル２０を展開した状態では縦長パネル２０の平面部２３と同一平面上に配置される平面部４１を備えている。平面部４１の背面側では、円弧状の嵌合受け部４２，４２が対称的に起立している。嵌合受け部４２の起立位置は、縦長パネル２０の背面板部２１ｂより平面部２３側に外側ヒンジ４０の回転軸となる円弧の中心が近くなるように設定されている。
嵌合受け部４２の内面は、縦長パネル２０の嵌合部２２ｄの外側面とほぼ同じ曲率の曲面になっている。平面部４１の端部近傍では、円弧状ガイド４３，４３が嵌合受け部４２，４２と同じ側に起立している。円弧状ガイド４３の内面は、摺動部２２ｆの半円状周面とほぼ同じ曲率で湾曲している。また、円弧状ガイド４３の基部近傍には、ストッパ部４４，４４が平面部４１の背面側から起立している。ストッパ部４４は、摺動部２２ｆの平面部とほぼ同じ長さをもっている。更に、平面部４１と同一平面状の突出部４５が円弧状ガイド４３の側方に延びている。
縦長パネル２０の内側連結部２１を内側ヒンジ３０の平面部３１と受け部３５との間に嵌め込み、外側連結部２２を外側ヒンジ４０の嵌合受け部４２と円弧状ガイド４３との間に嵌め込む。このようにして、複数の縦長パネル２０，２０・・は、内側ヒンジ３０及び外側ヒンジ４０で交互に連結される。
【００１５】
内側ヒンジ３０には、図５に示すように上下のブラケット７１，７１を介して車輪７２，７２が回転可能に取り付けられている。車輪７２は、貨物収納室の開口部を形成する上下のフレーム７０，７０に固着されたレール７３，７３に沿って回転する。
ヒンジ３０，４０で連結された縦長パネル２０，２０・・を貨物収納室の開口部に組み付けた後、貨物収納室側の上下のフレーム７０，７０に上押えフレーム５０及び下押えフレーム６０を取り付ける。上押えフレーム５０及び下押えフレーム６０としては、たとえば図５に示す断面形状で開口部全長にわたる長さをもつアルミ押出し形材が使用される。上押えフレーム５０及び下押えフレーム６０は、貨物収納室側の上下フレーム７０に固着された枢軸部５１，６１を中心として揺動可能に設けられる。
貨物収納室の前方端部又は後方端部には、図３左及び中に示すように操作杆８０が設けられている。操作杆８０の基端は第１リンクアーム８１に枢着されており、上押えフレーム５０及び下押えフレーム６０から延びた第２リンクアーム５２，６２が第１リンクアーム８１に枢着されている。
【００１６】
図３左において操作杆８０を反時計方向に回転させると、第２リンクアーム５２が上昇し、上押えフレーム５０が枢軸部５１を中心として回転し、上押えフレーム５０の押え部５３が縦長パネル２０，内側ヒンジ３０，外側ヒンジ４０の上端部から離れる。また、第２リンクアーム６２が下降し、下押えフレーム６０が枢軸部６１を中心として回転し、下押えフレーム６０の押え部６３が縦長パネル２０，内側ヒンジ３０，外側ヒンジ４０の下端部から離れる。逆に操作杆８０を時計方向に回転させると、第２リンクアーム５２の下降及び第２リンクアーム６２の上昇によって、縦長パネル２０，内側ヒンジ３０，外側ヒンジ４０の上下端部に押え部５３，６３が押し付けられ、縦長パネル２０，２０・・の展開状態が固定される。
【００１７】
操作杆８０を図３左で反時計方向に回転させ、押え部５３，６３による拘束から縦長パネル２０，内側ヒンジ３０，外側ヒンジ４０を解放すると、縦長パネル２０，２０・・が折畳み可能になる。そこで、何れか一方の端部に位置する縦長パネル２０に形成されている手掛かり部２５をもって他端に向かう力Ｆを加えると、図６に示すように外側ヒンジ４０の回転軸ｃが縦長パネル２０の中心線ＣＬよりも平面部２３に近いため、回転軸ｃを中心とする回転力（図４で反時計方向）が外側ヒンジ４０に与えられる。
外側ヒンジ４０の回転に対応して内側ヒンジ３０も回転し、外側ヒンジ４０が側方（図６では上方）に押し出され、図４に仮想線で示すように縦長パネル２０が内側連結部２１を起点として旋回する。
内側ヒンジ３０を中心とした縦長パネル２０の旋回は、平面部３１の端面に背面板部２１ｂが当ることにより規制される。縦長パネル２０に対する外側ヒンジ４０を中心とした縦長パネル２０の旋回は、嵌合部２２ｄの先端が平面部４１の背面に当ることにより規制される。このとき、内側ヒンジ３０の平面部３１を両側から起立部２１ａ，２１ａで包みこむように縦長パネル２０，２０が旋回し、折り畳まれた縦長パネル２０，２０の平面部２３，２３がほぼ面接触する。
【００１８】
折り畳まれた縦長パネル２０，２０・・は、隙間１８（図２）を生じることなく、図３下に示すように開口部の何れか一方に集約される。たとえば、前方又は後方に集約された縦長パネル２０，２０・・の幅をｗ1 又はｗ2 とし、貨物収納室の開口部全幅をＷとするとき、 (Ｗ−ｗ1)又は (Ｗ−ｗ2)の幅で開口部が開放される。このとき、個々の縦長パネル２０，２０・・の合計厚みにほぼ等しい程度まで集約幅ｗ1 又はｗ2 が小さくなるので、開口部の開放幅 (Ｗ−ｗ1)又は (Ｗ−ｗ2)は、隙間１８が形成されるアコーデオン式の横引きシャッタに比較して大幅に広くなる。その結果、貨物収納室のスペースが有効に使用されると共に、荷役作業も容易になる。また、隣接する縦長パネル２０，２０・・が相互に面接触するため、縦長パネル２０，２０・・の集約状態も安定化する。
【００１９】
集約状態の縦長パネル２０，２０・・は、端部に位置する縦長パネル２０の手掛かり部２５をもって反対方向に引くことにより展開される。展開中の縦長パネル２０は、図４において内側連結部２１を中心として時計方向に、摺動部２１ｆの平面部が内側ヒンジ３０の段差部３６に当接するまで旋回する。展開状態では、摺動部２１ｆの平面部と段差部３６及び摺動部２２ｆの平面部とストッパ部４４が接触しているため、縦長パネル２０の更なる旋回が阻止される。その結果、縦長パネル２０の中心線ＣＬが外側ヒンジ４０の回転中心ｃに交差することはなく、展開不能の状態には至らない。
展開状態では、縦長パネル２０と内側ヒンジ３０との間に突出部２１ｇ及び平面部３１の端部が臨み、縦長パネル２０と外側ヒンジ４０との間に突出部４５及び平面部３１の端部が臨む。そのため、縦長パネル２０，内側ヒンジ３０，外側ヒンジ４０との間に大きな隙間が生じることなく、縦長パネル２０，内側ヒンジ３０及び外側ヒンジ４０で大きな平面が形成される。
【００２０】
全ての縦長パネル２０，２０・・を展開すると、図３上に示すように全体長さは貨物収納室の開口部全幅Ｗに等しい長さになる。そこで、端部に位置する縦長パネル２０に設けられている固定金具２６を、貨物収納室の開口部を構成する側柱７５に固着されている施錠部に掛けることにより、縦長パネル２０，２０・・の展開状態が固定され、貨物収納室の開口部が横引きシャッタで閉じられる。次いで、操作杆８０を図３左で時計方向に回転させることにより、上押えフレーム５０の押え部５３及び下押えフレーム６０の押え部６３を縦長パネル２０，２０・・，内側ヒンジ３０，３０・・，外側ヒンジ４０，４０・・の上端部及び下端部にそれぞれ押し付ける。これにより、縦長パネル２０，２０・・を展開した横引きシャッタは、車両走行時等に振動が加わっても、ガタツキなく貨物収納室の開口部を確実に塞ぐ。
【００２１】
【発明の効果】
以上に説明したように、本発明においては、本発明の横引きシャッタは、内側ヒンジを介して連結された縦長パネル相互の間に隙間を生じることなく複数の縦長パネルが折り畳まれ、集約された縦長パネルの折畳み長さを大幅に短くできる。そのため、貨物収納室の開口部を大きく開くことができ、貨物収納室のスペースが有効使用されると共に、荷役作業自体も容易になる。また、縦長パネル，内側ヒンジ，外側ヒンジ等の主要部材として軽量で耐食性，強度に優れたアルミ押出し形材を使用しているので、長期間にわたって取扱い性が良好で美麗な表面を呈するシャッタとして使用される。
【図面の簡単な説明】
【図１】  横引きシャッタを備えた貨物運搬車の概略図
【図２】  従来の横引きシャッタを折り畳んだとき隙間が生じることを説明する図
【図３】  本発明に従った横引きシャッタの正面，側面，平面及び平断面を示す図
【図４】  交互に内側ヒンジ及び外側ヒンジで連結した縦長パネルの折畳み動作を説明する図
【図５】  横引きシャッタの上部及び下部を押圧する上押えフレーム及び下押えフレームを示す断面図
【図６】  横引きシャッタを折り畳む動作の説明図
【符号の説明】
２０：縦長パネル    ２１：内側連結部    ２２：外側連結部    ２３：平面部
２５：手掛かり部    ２６：固定金具
２１ａ：湾曲起立部    ２１ｂ：背面板部    ２１ｃ：屈曲部    ２１ｄ：湾曲部
２１ｅ：折返し部    ２１ｆ：摺動部    ２１ｇ：突出部
２２ａ：起立部    ２２ｂ，２２ｃ：屈曲部    ２２ｄ：嵌合部    ２２ｅ：突出部    ２２ｆ：摺動部
３０：内側ヒンジ    ３１：平面部    ３２：起立部    ３３：中空部
３４：湾曲面    ３５：受け部    ３６：段差部
４０：外側ヒンジ    ４１：平面部    ４２：嵌合受け部    ４３：円弧状ガイド    ４４：ストッパ部    ４５：突出部
５０：上押えフレーム    ５１：枢軸部    ５２：第２リンクアーム    ５３：押え部
６０：下押えフレーム    ６１：枢軸部    ６２：第２リンクアーム    ６３：押え部
７０：開口部側の上下フレーム    ７１：ブラケット    ７２：車輪    ７３：レール    ７５：側柱
８０：操作杆    ８１：第１リンクアーム
Ｗ：貨物収納室の開口部幅
ｗ1 ，ｗ2 ：集約された縦長パネルの幅
Ｆ：縦長パネルを折り畳むときに加えられる力
ｃ：外側ヒンジの回転軸
ＣＬ：縦長パネルの中心線
【図１】
0003781887.tif 000002
【図２】
0003781887.tif 000003
【図３】
0003781887.tif 000004
【図４】
0003781887.tif 000005
【図５】
0003781887.tif 000006
【図６】
0003781887.tif 000007